(57)【要約】【課題】  リール側の図柄との位置関係を簡単な作業により正確に設定できると共に遊技機の仕様変更に際しても遊技機内での検知機構の設計変更などを不要にしてコスト上昇を抑えることができる構成を備えた遊技機を提供する。【解決手段】  図柄表示部材が表面に設けられて回転可能なリール部材Ｒ１を備え、該リール部材Ｒ１の基準位置を検知可能な構成１００５が備えられている遊技機において、上記リール部材Ｒ１の基準位置を設定する基準位置設定部材１００４が該リール部材Ｒ１に対して係脱可能に設けられ、係合することにより一体化されたうえで該リール部材Ｒ１の駆動源ＰＭに連結される構成１００４Ｃを備えていることを特徴とする。【選択図】  図４
2005152243.tif 000002
【特許請求の範囲】
【請求項１】
図柄表示部材が表面に設けられて回転可能なリール部材を備え、該リール部材の基準位置を検知可能な構成が備えられている遊技機において、
上記リール部材の基準位置を設定する基準位置設定部材が該リール部材に対して係脱可能に設けられ、係合することにより一体化されたうえで該リール部材の駆動源に連結される構成を備えていることを特徴とする遊技機。
【請求項２】
請求項１記載の遊技機において、
上記リール部材は、上記駆動源の駆動軸に対して回転中心が嵌め込まれる構成とされ、該リール部材における回転中心の外周囲には、駆動軸の周方向に平行して複数の係合部が設けられ、
係合部に対しては、この係合部に対して係止爪を係脱させることができる構成を備えた基準位置設定部材が装着されることを特徴とする遊技機。
【発明の詳細な説明】
【技術分野】
【０００１】
本発明は遊技機に関し、さらに詳しくは、パチンコ遊技機、スロットマシンあるいは雀球機さらにはパチスロマシンやゲームセンタで用いられるゲーム機などの箱形遊技機に装備されている回転リールの回転位置検出構造に関する。
【背景技術】
【０００２】
周知のように、遊技機、特に箱型遊技機の一つであるスロットマシンにおいては、スタートレバーあるいはスタートボタンを操作することにより複数個のリールを回転させ、ストップボタンを操作させることで各リールの回転を順次停止させ、停止した際のリールの図柄の組み合わせによりメダルあるいは球を払い出す構成を用いたものがある。
【０００３】
図柄を表示するために用いられるリールは、種々の図柄を表示したリールテープなどを外周面に貼り付けられたドラムが用いられ、ドラムはステッピングモータなどのデジタル制御が可能な駆動源によって駆動されるようになっている。
リールは、リールテープに表示されている図柄の位置を割り出し、遊技者による停止指令が出された際の抽選結果に応じて図柄の表示を設定することができるが、このための構成として、リールに設けてある基準位置表示部としての遮光部と、遮光部の通過を光学的に検知可能なフォトセンサとを組み合わせた構成がある。（例えば、特許文献１）
【０００４】
スロットマシンでは、この構成により、リールの基準位置を特定し、基準位置からの移動量を設定するステップ数を出力することにより図柄を停止させるべき位置にリールを停止させるようになっている。
図８は、ステッピングモータとリールおよびリールの基準位置を表示する遮光部との構成を示す図であり、同図において、ステッピングモータＡの駆動軸Ａ１には、中継軸Ｂが挿嵌されており、中継軸Ｂに対してリールＣの端板を嵌め込むと共に、リールＣの端板と中継軸ＢのフランジＢ１との間に円盤状の基準位置設定板Ｄが挟持されて固定されるようになっている。
【０００５】
基準位置設定板Ｄは、周方向の一部が折曲されて遮光部Ｄ１を構成しており、遮光部Ｄ１の回転軌跡中には、モータ支持板Ｅに設けられているフォトセンサ（図示されず）が位置決めされている。
【０００６】
【特許文献１】特開２０００２−２４８１９９号公報（段落「００３４」欄）
【発明の開示】
【発明が解決しようとする課題】
【０００７】
図８に示した構成においては、リール側と、これに装備されているリールテープの図柄との位置関係に基づくリールの基準位置を設定するために用いられる基準位置設定板とが別体で構成されているために、組み立て時にはリールテープの図柄位置との位置合わせが必要となり、組み立て作業が面倒となるばかりでなく、図柄との位置決め精度が比較的低いのが現状である。
このため、リールの成形と共に遮光部を成形することで基準位置設定部材を不要とすることも考えられるが、リールの形態を変更した場合には、フォトセンサとの位置関係を設定し直す場合が生じてしまい、機種変更毎にフォトセンサの組み付け位置を変更する必要が生じてしまい、コスト上昇の原因となる。
【０００８】
本発明の目的は、上記従来の遊技機、特に、リールの基準位置設定部での構成における問題に鑑み、リール側の図柄との位置関係を簡単な作業により正確に設定できると共に遊技機の仕様変更に際しても遊技機内での検知機構の設計変更などを不要にしてコスト上昇を抑えることができる構成を備えた遊技機を提供することにある。
【課題を解決するための手段】
【０００９】
請求項１記載の発明は、図柄表示部材が表面に設けられて回転可能なリール部材を備え、該リール部材の基準位置を検知可能な構成が備えられている遊技機において、上記リール部材の基準位置を設定する基準位置設定部材が該リール部材に対して係脱可能に設けられ、係合することにより一体化されたうえで該リール部材の駆動源に連結される構成を備えていることを特徴としている。
【００１０】
請求項２記載の発明は、請求項１記載の発明に加えて、上記リール部材は、上記駆動源の駆動軸に対して回転中心が嵌め込まれる構成とされ、該リール部材における回転中心の外周囲には、駆動軸の周方向に平行して複数の係合部が設けられ、係合部に対しては、この係合部に対して係止爪を係脱させることができる構成を備えた基準位置設定部材が装着されることを特徴としている。
【発明の効果】
【００１１】
請求項１および２記載の発明によれば、リール部材に対してリール部材の基準位置を設定するための基準位置設定部材が係脱可能に設けられ、係合した状態でリール部材の駆動源に連結されるので、リール部材に装備されているリールテープの図柄とともに一体化されることになる。これにより、図柄の表示位置設定の際に割り出されるリール部材の基準位置と図柄との位置関係が整合した状態を維持でき、しかも、その状態を得るための構成も係脱作業のみで済むので作業性の向上および図柄位置割出し精度の悪化を防止することが可能となる。
【００１２】
請求項２記載の発明によれば、基準位置設定部材がリール部材における回転中心の外周囲に設けられている係合部に係脱可能な係止爪を備えた構成であるので、リール部材の形態が変更された場合でもリール部材側の係合部の位置を不変とするだけでリール部材の形態変更に関係なく基準位置設定部材を援用することができる。これにより、リール部材の形態毎に構成を異ならせた基準位置設定部材を準備する必要がなく、しかも、基準位置設定部材の位置を検知する検知手段の配置構成も変更する必要がなくなることでコスト上昇を防止することが可能となる。
【発明を実施するための最良の形態】
【００１３】
以下、図面により本発明を実施するための最良の形態について説明する。
【実施例】
【００１４】
本発明の対象である遊技機として、スロットマシンを対象としてその構成の概略を説明する。
【００１５】
図１は本スロットマシン１００の外部構造を表した平面図、図２は本スロットマシン１００の内部構造を表した平面図、図３は本スロットマシン１００に設けられている制御システムの構成を表したブロック図である。
【００１６】
図１においてスロットマシン１００の外部構造を概説すると、スロットマシン１００は、遊技者に面するフロントドア１０１と、フロントドア１０１が開閉可能に取り付けられた後述の筐体１０２とを備えて構成されている。
【００１７】
フロントドア１０１は、機械的に強固な硬質プラスチックで成形された上部パネル部１０３と中部パネル部１０４及び下部パネル部１０５とを備えて構成されている。
【００１８】
上部パネル部１０３には、上部ランプと呼ばれる演出用ランプ１０３ａと、スピーカが取り付けられた放音部１０３ｂ，１０３ｃと、液晶ディスプレイ等で形成された演出表示装置１０３ｄが設けられている。
【００１９】
中部パネル部１０４には、透明な硬質プラスチック板で形成された略長方形の透過窓ＷＤと、演出用ランプ１０４ａ，１０４ｂが設けられ、筐体１０２内に設けられている回胴リール装置２００の回胴リールＲ１，Ｒ２，Ｒ３を、遊技者が透過窓ＷＤを介して見ることが可能となっている。
【００２０】
更に中部パネル部１０４の下端には、遊技者が操作するための操作部１０４ｃが設けられ、当該操作部１０４ｃには、スロットマシンゲームを行うのに必要な遊技メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるためのストップボタンＳＰ１，ＳＰ２，ＳＰ３と、遊技者が獲得した遊技メダルの払い出しを指示するための精算ボタンＭＲが設けられている。
【００２１】
更に、メダル投入部ＭＤの近傍に、フロントドア１０１を開錠するための鍵穴ＫＹが設けられている。そして、遊技場側の事業者や管理者が、鍵穴ＫＹに正規の鍵を挿入して開錠操作すると、後述の施錠機構ＬＫを解除し、フロントドア１０１を筐体１０２から開くことが可能となっている。
【００２２】
下部パネル部１０５には、本スロットマシン１００のゲーム内容を紹介等するための画像（図示略）が描かれており、更に遊技者の獲得した枚数の遊技メダルを払い出すための排出口１０５ａ及び受皿１０５ｂと、スピーカが取り付けられた放音部１０５ｃが設けられている。
なお、図１における符号１０５ｄは、排出口１０５ａが設けてあるパネル面の側方あるいは受け皿１０５ｂの表面（図１では、パネル面の側方に設けた状態が示してある）に設けた携帯電話保持部を示しており、遊技者はこの位置に携帯電話を収納して遊戯できるようになっている。
【００２３】
次に、図２を参照して、フロントドア１０１の裏面構造と、筐体１０２の内部構造を概説する。なお、図２はフロントドア１０１を開錠して筐体１０２から開いた状態を表している。
【００２４】
同図において、フロントドア１０１の裏面上部に、上述の放音部１０３ｂ，１０３ｃを構成するスピーカＳＲ，ＳＬが設けられ、スピーカＳＲ，ＳＬの間に演出表示装置１０３ｄが設けられている。
【００２５】
更に演出表示装置１０３ｄの裏面側には、電気回路基板で形成されたサブ制御基板３００が取り付けられている。
【００２６】
すなわち、サブ制御基板３００は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置１０３ｄの裏面側に重なるようにして取り付けられている。
【００２７】
演出表示装置１０３ｄとサブ制御基板３００の下方には、上述の透過窓ＷＤと中部パネル部１０４のパネル面とが形成された略長方形の枠体１０４ｄが取り付けられている。
【００２８】
枠体１０４ｄの下方には、メダル投入部ＭＤより投入される投入物を正規の遊技メダルか異物か判別して振り分けるセレクト機構Ｇ０と、セレクト機構Ｇ０で振り分けられた遊技メダルを筐体１０２側に設けられているホッパ装置ＨＰへ案内するガイド部材Ｇ１と、セレクト機構Ｇ０で振り分けられた異物を排出口１０５ａへ案内するガイド部材Ｇ２と、ホッパ装置ＨＰから出力される払い出し用のメダルを排出口１０５ａへ案内するガイド部材Ｇ３が設けられ、更に排出口１０５ａの近傍に、放音部１０５ｃを構成するスピーカＳＷが取り付けられている。
【００２９】
上述の枠体１０４ｄとセレクト機構Ｇ０との間には、長尺状の電気回路基板で形成された中央表示基板４００が取り付けられており、当該中央表示基板４００の一端に、発光ダイオードで形成されセグメント表示を行う設定表示素子ＣＴと、設定ボタンＣＳとが設けられている。
【００３０】
すなわち、中央表示基板４００もサブ制御基板３００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、更に設定表示素子ＣＴと設定ボタンＣＳとが搭載されて配線接続されている。
【００３１】
更に、セレクト機構Ｇ０の側方に上述の施錠機構ＬＫが設けられ、筐体１０２の一端にロック部材ＬＯが固定されている。そして、フロントドア１０１を筐体１０２側に閉じると、施錠機構ＬＫがロック部材ＬＯに嵌着することによってフロントドア１０１を施錠し、一方、上述したように正規の鍵で開錠操作すると、施錠機構ＬＫがロック部材ＬＯから外れることによってフロントドア１０１を開錠することが可能となっている。
【００３２】
次に、筐体１０２内には、主電源装置ＰＷＵと、ホッパ装置ＨＰから溢れた遊技メダルを収容するための補助貯留部ＳＨＰが設けられる他、上述の透過窓ＷＤに対向する回胴リールＲ１，Ｒ２，Ｒ３とこれら回胴リールＲ１，Ｒ２，Ｒ３を回転駆動する電動モータ（図示略）とを備えた回胴リール装置２００が設けられている。
【００３３】
更に、主電源装置ＰＷＵの側面には電源装置基板５００、回胴リール装置２００の上端には回胴装置基板６００、回胴リール装置２００の上方には主制御基板７００、筐体１０２の内壁の一端には外部集中端子基板としての外部集中端子基板８００が取り付けられている。
【００３４】
すなわち、電源装置基板５００と、回胴装置基板６００、主制御基板７００、外部集中端子基板８００も、上述のサブ制御基板３００及び中央表示基板４００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００３５】
ただし、サブ制御基板３００と主制御基板７００は、夫々硬質プラスチックの保護ケース内に個別に収納されたユニット構造となっている。
【００３６】
以上のような構成を備えたスロットマシンにおいて回動リールＲ１，Ｒ２，Ｒ３を纏めたリールユニット１０００は、その概略構成が図３に示されている。
図３においてリールユニット１０００は、これの一部構成として用いられるリールケース本体１００１に加えて、回動リールの背面側を覆うリールケースカバー（図示されず）が備えられている。
図３において、リールケース本体１００１を有するリールユニット１０００は、内部に３個の回動リールＲ１，Ｒ２，Ｒ３が並置されている。
回動リールＲ１，Ｒ２，Ｒ３は、リールケース本体１００１に形成されている開口部１００１Ａから外部に露出しており、この位置が図１に示した透過窓ＷＤの位置に整合させてある。
【００３７】
リールユニット１０００には、各回動リールＲ１，Ｒ２，Ｒ３を構成するドラムを回転可能に設置するための構成が設けられており、その構成が図４に示されている。
図４は、回動リールＲ１，Ｒ２，Ｒ３のうちの一つを抽出して示した斜視図であり、同図では、回動リール（便宜上、符号Ｒ１で示す）の外周面に設けられるリールテープが省略されている。
図４において、回動リールＲ１を回転可能に設置するための構成は、リールケース本体１００１に取り付け可能なモータ支持板１００３と、モータ支持板１００３に設けられて回動リールＲ１の回転駆動源をなすステッピングモータＰＭと、回動リールＲ１に係脱可能に設けられた基準位置設定部材１００４と、図５に示すように、モータ支持板１００３側に設けられて基準位置設定部材１００４の通過を検知可能なフォトセンサ１００５とを備えている。
【００３８】
図４に示した回動リールＲ１は、軸方向一方側に位置して周方向に沿って複数形成されたスポーク部を有する端板Ｒ１Ａと、軸方向他方側に位置する環状部Ｒ１Ｂと、これら端板Ｒ１Ａおよび環状部Ｒ１Ｂが軸方向両側に取り付けられているリール基体Ｒ１Ｃとで構成されている。
リール基体Ｒ１Ｃは、端板Ｒ１Ａおよび環状部Ｒ１Ｂの外径よりも小さくされ、その外径差による段差部にリールテープが装填されるようになっている。
リール基体Ｒ１Ｃは、周方向に沿って複数の横桟Ｒ１Ｃ１を備えることで端板Ｒ１Ａと環状部Ｒ１Ｂとの間隔を維持できるようになっている。
【００３９】
回動リールＲ１は、端板Ｒ１Ａの回転中心に形成されたネジ挿通孔Ｒ１Ａ１に対して挿通されるネジがステッピングモータＰＭの駆動軸に締結されることにより駆動軸と一体化されて回転することができるようになっている。
端板Ｒ１Ａは、図６に示すように、軸方向一面に中空円筒部からなるボス部Ｒ１Ａ２を備えており、ボス部Ｒ１Ａ２がステッピングモータＰＭの駆動軸ＰＭ１に挿嵌されている中継軸１００６に嵌合され、その軸方向端部が中継軸１００６のフランジ１００６Ａに突き当てられて挿入深さを規定されるようになっている。
【００４０】
基準位置設定部材１００４は、回動リールＲ１に装備されているリールテープの図柄を表示する際の回動リールＲ１の停止位置を設定するための基準位置を割り出す際に用いられる部材であり、図柄との整合関係が設定されて回動リールＲ１と一体化されるようになっている。以下、この構成について説明する。
図５は、回動リールＲ１を除いてモータ支持板１００３側に設けられている部材を示す図であり、同図において、基準位置設定部材１００４は、中継軸１００６に嵌合している回動リールＲ１のボス部Ｒ１Ａ２の外周に挿嵌されるボス部１００４Ａ（図６参照）を備えた回転可能な板部材が用いられ、ボス部１００４Ａの軸方向端部が中継軸１００６のフランジ１００６Ａ（図６参照）に突き当てられて挿入深さを規定されるようになっている。
基準位置設定部材１００４には、その周面の一部にフォトセンサ１００５が回転奇跡内に位置するように張り出した基準片１００４Ｂが設けられている。
【００４１】
基準位置設定部材１００４は、その回転中心部が位置する面部に周方向に沿って複数の係止爪１００４Ｃが設けられており、係止爪１００４Ｃは、回動リールＲ１の端板Ｒ１Ａに形成された係合孔Ｒ１Ｄ（図７参照）と対応する位置に形成されている。
係止爪１００４Ｃは傾斜面を有した可撓部であり、係合孔Ｒ１Ｄに挿入される際には撓み変形して係合孔Ｒ１Ｄ内に進入することができ、進入後、自らの形状復元性により係合孔Ｒ１Ｄの内縁に圧接して外れないようになっている。図６には、係合孔Ｒ１Ｄの内縁に圧接した状態が示されている。
【００４２】
本実施例は以上のような構成であるから、回動リールＲ１の組立時に基準位置設定部材１００４が係止爪１００４Ａを回動リールＲ１の端板Ｒ１Ａに位置する係合孔Ｒ１Ｄに挿入されて一体化される。
回動リールＲ１に一体となることで回動リールＲ１に装備されるリールテープの図柄位置との基準位置が整合される。特に、両部材が一体であることにより別部材として基準位置設定部材を組み立てる場合と違って図柄の基準と回動リールＲ１の基準とが一致した状態を維持できるので、回動リールＲ１の基準位置を割り出して停止位置を割り出す際の誤差を小さくすることができる。
さらに、係止爪１００４Ｃと係合孔Ｒ１Ｄとの係合位置を関係付けて係合するだけの作業により図柄の基準位置と回動リールＲ１の基準位置とを整合させた状態で組み立てることができるので、回動リールＲ１と基準位置設定部材１００４との位置関係、つまり、周方向での基準片１００４Ａの位置を調整する必要がなくなり、それだけ組み立て作業を簡易化することができる。
【００４３】
一方、基準位置設定部材１００４は、回動リールＲ１に対して係脱できる構成であるので、回動リールＲ１の外径などの形態が変更された場合でも回動リールＲ１側の係合孔Ｒ１Ｄの位置を共通化しておくことで基準位置設定部材１００４をそのまま適用することができる。これにより、回動リールＲ１の形態変更に関わらず、基準位置設定部材１００４を共用化することができるので、回動リールの形態に応じた基準位置設定部材を準備する必要がなくなり、部品コストの低減が図れる。
【００４４】
本実施例では、図６に示すように、基準位置設定部材１００４が、ボス部１００４Ａを中継軸１００６のフランジ１００６Ａに突き当てることで係止爪１００４Ｃを押圧することができるので、係止爪１００４Ｃが係合孔Ｒ１Ｄから抜けてしまうことがなく、これにより、係止爪１００４Ｃの形状復元力を利用した係合孔Ｒ１Ｄの内縁との圧接が維持されて堅固な係合状態が維持できることになる。
しかも、中継軸１００６のフランジ１００６Ａに対して回動リールＲ１のボス部Ｒ１Ａ２の端部および基準位置設定部材１００４のボス１００４Ａの端部が直接突き当たるようになっているので、フランジ１００６Ａに至る回動リールＲ１の挿入深さを深くすることができ、例えば、図８に示すように、基準位置設定部材Ｄの軸方向端部、つまり中継軸ＢのフランジＢ１に対面する部分を折り込んで入り込ませた場合に比べて回転時での心振れを防止することができる。
なお、本実施例では、スロットマシンを遊技機の対象として挙げたが、本発明では、パチンコ機やゲーム機などを対象とすることも可能である。
【図面の簡単な説明】
【００４５】
【図１】本発明の実施例による遊技機の一例を示すスロットマシンの外観構造を概略的に示した平面図である。
【図２】図１に示したスロットマシンの内部構造を概略的に示した平面図である。
【図３】図１に示したスロットマシンに用いられるリールユニットの一部構造を示す外観図である。
【図４】本発明実施例による遊技機に用いられる回動リールの設置構造に関する一部構成を示す斜視図である。
【図５】図４に示した回動リールの設置構造における回動リールを取り除いた状態を示す斜視図である。
【図６】図４に示した設置構造の要部を示す断面図である。
【図７】図４中、符号（７）で示す方向での一部を示す矢視図である。
【図８】回動リールと基準位置設定部材との組み立て構造に関する従来例を示す断面図である。
【符号の説明】
【００４６】
１００              ストッロマシン
１０００            リールユニット
１００１            リールケース本体
１００３            モータ支持板
１００４            基準位置設定部材
１００４Ｂ          基準片
１００４Ｃ          係止爪
１００５            フォトセンサ
Ｒ１                回動リール
Ｒ１Ａ              端板
Ｒ１Ｄ              係合孔
ＰＭ                ステッピングモータ
【図１】
2005152243.tif 000003
【図２】
2005152243.tif 000004
【図３】
2005152243.tif 000005
【図４】
2005152243.tif 000006
【図５】
2005152243.tif 000007
【図６】
2005152243.tif 000008
【図７】
2005152243.tif 000009
【図８】
2005152243.tif 000010